(57)【要約】      （修正有）【課題】ケースが容易に交換できて、ユーザーの片手を解放する解体可能な吸着型携帯電話ケースを提供する。【解決手段】第一保護ケース０１及び第二保護ケース０２を備え、第一保護ケース０１の前端部にある弧状凹部１１及び第一保護ケース０１の前端部の両側に対称的に設けられた凸部１４を備え、第二保護ケース０２が平滑状またはプリーツ状のケースを備え、第一保護ケース０１と第二保護ケース０２との接続部にそれぞれ第一強力磁石１５と第二強力磁石１６が嵌め込まれ、第一保護ケース０１と第二保護ケース０２とが第一強力磁石１５及び第二強力磁石１６による磁気吸引力で接続されており、第一保護ケース０１にある第一溝部０３と第二保護ケース０２にある第二溝部０４が接合されて携帯電話固定溝を構成する。【選択図】図１
0003216852.tif 000002
【実用新案登録請求の範囲】
【請求項１】
第一保護ケース(０１)及び第二保護ケース（０２）を備え、前記第一保護ケース（０１）が第一保護ケース（０１）の前端部にある弧状凹部（１１）及び第一保護ケース（０１）の前端部の両側に対称的に設けられた凸部（１４）を備え、前記第二保護ケース（０２）が平滑状のケース（１７）またはプリーツ状のケース（１８）を備え、第一保護ケース（０１）と第二保護ケース（０２）との接続部にそれぞれ第一強力磁石（１５）と第二強力磁石（１６）が嵌め込まれ、第一保護ケース（０１）と第二保護ケース（０２）とが第一強力磁石（１５）及び第二強力磁石（１６）による磁気吸引力で接続されており、第一保護ケース（０１）にある第一溝部（０３）と第二保護ケース（０２）にある第二溝部（０４）が携帯電話固定溝を構成することを特徴とする解体可能な吸着型携帯電話ケース。
【請求項２】
前記平滑状のケース（１７）の背面に棒状分割部（１９）が設けられることを特徴とする請求項１に記載の解体可能な吸着型携帯電話ケース。
【請求項３】
前記プリーツ状のケース（１８）の背面にスリップ防止リブ（１０）が設けられ、プリーツ状のケース（１８）の幅が第一保護ケース（０１）との接続部から自由部まで徐々に増加することを特徴とする請求項１に記載の解体可能な吸着型携帯電話ケース。
【請求項４】
前記携帯電話固定溝が、表面開口の輪郭（１２）が底面凹部の輪郭（１３）よりも小さいものであることを特徴とする請求項１に記載の解体可能な吸着型携帯電話ケース。
【請求項５】
前記第一保護ケース(０１)の背面にカメラに対応するカメラ穴（０５）が設けられることを特徴とする請求項１に記載の解体可能な吸着型携帯電話ケース。
【請求項６】
前記第一保護ケース(０１)の一方の側にボリュームボタンに対応するボリューム凸部（０６）が設けられ、第一保護ケース(０１)の他方の側に電源ボタンに対応する電源凸部（０７）が設けられることを特徴とする請求項１に記載の解体可能な吸着型携帯電話ケース。
【請求項７】
前記第二保護ケース（０２）の底面に充電口に対応する充電穴（０８）及びスピーカーに対応するスピーカー穴（０９）が設けられることを特徴とする請求項１に記載の解体可能な吸着型携帯電話ケース。
【請求項８】
前記第一保護ケース(０１)及び第二保護ケース（０２）がシリコンショック防止保護ケースを備えることを特徴とする請求項１に記載の解体可能な吸着型携帯電話ケース。
【考案の詳細な説明】
【技術分野】
【０００１】
本考案は携帯電話アクセサリー分野に関し、特に解体可能な吸着型携帯電話ケースに関する。
【背景技術】
【０００２】
科学技術の進歩に伴い、携帯電話は徐々に一般民衆に広まり、人々にとって不可欠な通信機器となった。大衆の生活水準の向上に伴い、携帯電話の保護もますます注目されるようになっり、携帯電話ケースは最も一般的な携帯電話保護具となった。
【考案の概要】
【考案が解決しようとする課題】
【０００３】
しかしながら、現在市販されているのがほとんど一体化した構造で、構造が単一すぎで変化も少なすぎる。使用するには、大きな力でケースを引き張ってから携帯電話をセットする必要があるので、使い勝手が悪い。また、携帯電話を使用するとき、片手で携帯を持ち、もう片手で操作するのが最も一般的である。
【０００４】
本考案は、上記のような問題に鑑みてなされたものであり、一体化した構造ではなく、強力磁石による磁気吸引力で別々の部分を接続することにより、携帯電話ケースの密着性を確保するだけでなく、ケースが容易に交換されるようになり、豊かな変化があり、また、磁性体に吸着できるので、片手を解放する解体可能な吸着型携帯電話ケースを提供することを目的とする。
【課題を解決するための手段】
【０００５】
上記の目的を達成するために、本考案に係る解体可能な吸着型携帯電話ケースは、第一保護ケース及び第二保護ケースを備え、前記第一保護ケースが第一保護ケースの前端部にある弧状凹部及び第一保護ケースの前端部の両側に対称的に設けられた凸部を備え、前記第二保護ケースが平滑状のケースまたはプリーツ状のケースを備え、第一保護ケースと第二保護ケースとの接続部にそれぞれ第一強力磁石と第二強力磁石が嵌め込まれ、第一保護ケースと第二保護ケースとが第一強力磁石及び第二強力磁石による磁気吸引力で接続されており、第一保護ケースにある第一溝部と第二保護ケースにある第二溝部が携帯電話固定溝を構成する。
【０００６】
好ましくは、前記平滑状のケースの背面に棒状分割部が設けられる。
【０００７】
好ましくは、前記プリーツ状のケースの背面にスリップ防止リブが設けられ、プリーツ状のケースの幅が第一保護ケースとの接続端から他端まで徐々に増加する。
【０００８】
好ましくは、前記携帯電話固定溝は、表面の輪郭が底面の輪郭よりも小さいものである。
【０００９】
好ましくは、前記第一保護ケースの背面にカメラに対応するカメラ穴が設けられる。
【００１０】
好ましくは、前記第一保護ケースの一方の側にボリュームボタンに対応するボリューム凸部が設けられ、第一保護ケースの他方の側に電源ボタンに対応する電源凸部が設けられる。
【００１１】
好ましくは、前記第二保護ケースの底面に充電口に対応する充電穴及びスピーカーに対応するスピーカー穴が設けられる。
【００１２】
好ましくは、前記第一保護ケース及び第二保護ケースがシリコンショック防止保護ケースを備える。
【考案の効果】
【００１３】
本考案の良好な効果として、デザインを変更し解体可能な構造を導入したため、第一保護ケースと第二保護ケースをいつでも交換できる。強力磁石による磁気吸引力で第一保護ケースと第二保護ケースを接続することにより、携帯電話ケースの密着性を確保するだけでなく、ケースが容易に交換されるようになる。また、シリコン保護ケースで良い手当りと耐衝撃性の両方を兼ね備える。屋内や車内にある磁性体に吸着すると、ユーザーの両手を解放するので、作業効率を向上させ、運転の安全性を高めることができる。
【図面の簡単な説明】
【００１４】
【図１】本考案に係る解体可能な吸着型携帯電話ケースの全体的構造の概略図である。
【図２】本考案に係る解体可能な吸着型携帯電話ケースのバック構造の概略図である。
【図３】本考案に係る解体可能な吸着型携帯電話ケースの分離構造の概略図である。
【図４】本考案に係る解体可能な吸着型携帯電話ケースの別の実施形態の構造概略図である。
【考案を実施するための形態】
【００１５】
以下の実施例は、本考案を例示するために使用されるが、本考案の範囲を限定することを意図するものではない。
【００１６】
実施例１
図１〜３に示すように、本考案に係る解体可能な吸着型携帯電話ケースは、第一保護ケース０１及び第二保護ケース０２を備え、第一保護ケース０１が第一保護ケース０１の前端部にある弧状凹部１１及び第一保護ケース０１の前端部の両側に対称的に設けられた凸部１４を備えている。第一保護ケース０１が普通の半袖と同じ形となり、弧状凹部１１が半袖の襟に対応し、凸部１４が半袖の袖に対応する。携帯電話が落ちたとき、弧状凹部１１で携帯の上部と地面との衝突を避け、ショックを減らし、応力を凸部１４に伝達することにより、携帯電話への損害を軽減できる。第二保護ケース０２が平滑状のケース１７を備え、平滑状のケース１７の背面に棒状分割部１９が設けられ、棒状分割部１９が携帯電話保護ケースの重量を減らす役割を果たせる。平滑状のケース１７がショートパンツと同じ形となり、男性向けに設計されたものである。第一保護ケース０１と第二保護ケース０２との接続部にそれぞれ第一強力磁石１５と第二強力磁石１６が嵌め込まれ、第一保護ケース０１と第二保護ケース０２とが第一強力磁石１５及び第二強力磁石１６による磁気吸引力で接続されており、第一保護ケース０１にある第一溝部０３と第二保護ケース０２にある第二溝部０４が接合されて携帯電話固定溝を構成する。携帯電話固定溝は、表面の輪郭１２が底面の輪郭１３よりも小さいものである。このような設計で、携帯電話が保護ケース内に固定され、落ちにくくなる。
【００１７】
さらに、第一保護ケース０１の背面にカメラに対応するカメラ穴０５が設けられる。第一保護ケース０１の左側にボリュームボタンに対応するボリューム凸部０６が設けられ、第一保護ケース０１の右側に電源ボタンに対応する電源凸部０７が設けられる。第二保護ケース０２の底面に充電口に対応する充電穴０８及びスピーカーに対応するスピーカー穴０９が設けられる。本考案の実用性を確保するように、カメラ穴０５やボリューム凸部０６、電源凸部０７、充電穴０８、スピーカー穴０９は、携帯電話により位置を調整可能である。第一保護ケース０１及び第二保護ケース０２がシリコンショック防止保護ケースを備え、携帯電話保護ケースを衝撃吸収の役割を果たすようにする。
【００１８】
本考案は解体可能な吸着型携帯電話ケースの使用方法を提供する。携帯電話の上半分を第一保護ケース０１にある第一溝部０３に挿入し、携帯電話の上端を第一溝部０３の各エッジと張り合わせ、携帯電話のボリュームボタンとボリューム凸部０６を、電源ボタンと電源凸部０７を合わせ、そして、第二保護ケースを携帯電話の側面に沿ってスライドさせ携帯電話の下部にセットすることにより、第一保護ケース０１と第二保護ケース０２とのシームレスな接続を実現し、携帯電話を保護ケースに固定する。携帯電話と保護ケースとの組立を行ってから、強力磁石のある箇所を屋内や車内にある磁性体に張り合わせ、保護ケースが磁力で当該磁性体に吸着・固定される。
【００１９】
実施例２
本考案に係る解体可能な吸着型携帯電話ケースは、その構造が実施例１にほぼ同じであるが、実施例１に基づきさらなる改善がなされ、本考案の使用性能が改善される点で相違する。
【００２０】
図４に示すように、第二保護ケース０２がプリーツ状のケース１８であり、プリーツ状のケース１８の背面にスリップ防止リブ１０が設けられ、プリーツ状のケース１８の幅が第一保護ケース０１との接続端から他端まで徐々に増加する。このような設計で携帯電話ケースの耐震効果を高めるだけでなく、プリーツ状のケース１８の形状をスカートと同じにすることができるので、女性が使用するときの美しい外観を確保できる。
【００２１】
以上は一般的な説明及び特定の実施形態で本考案を詳細に説明してきたが、本考案に基づきいくつかの修正または改良を行うことができることは、当業者には明らかである。従って、本考案の精神から逸脱することなくなされたこれらの修正または改良は、本考案の保護範囲内に入る。
【符号の説明】
【００２２】
０１  第一保護ケース
０２  第二保護ケース
０３  第一溝部
０４  第二溝部
０５  カメラ穴
０６  ボリューム凸部
０７  電源凸部
０８  充電穴
０９  スピーカー穴
１０  スリップ防止リブ
１１  弧状凹部
１２  表面開口の輪郭
１３  底面凹部の輪郭
１４  凸部
１５  第一強力磁石
１６  第二強力磁石
１７  平滑状のケース
１８  プリーツ状のケース
１９  棒状分割部
【図１】
0003216852.tif 000003
【図２】
0003216852.tif 000004
【図３】
0003216852.tif 000005
【図４】
0003216852.tif 000006